(57)【要約】【課題】  普通の人がうつ伏せ寝を簡易に安心して行うことができる補助寝具を提供すること。【解決手段】  敷布団２６又はベッドシーツの下側に敷く補助寝具。この補助寝具は、頭部、胸部、胴部及び股部にわたる身体上部を載置するためのうつ伏せ寝用主台４と、うつ伏せ寝用主台４と略平行に配設される傾斜寝用副台６とを備え、うつ伏せ寝用主台４と傾斜寝用副台６とが所定の間隔をおいて連結される。うつ伏せ寝用主台４と傾斜寝用副台６とは、連結部材８、例えば連結シーツ１８を介して連結され、うつ伏せ寝用主台４と傾斜寝用副台６の少なくともいずれか一方が連結シーツ１８に位置調整自在に装着される。【選択図】  図９
2010099443.tif 000002
【特許請求の範囲】
【請求項１】
敷き部材の下側に敷く補助寝具であって、頭部、胸部、胴部及び股部にわたる身体上部を載置するためのうつ伏せ寝用主台と、前記うつ伏せ寝用主台と略平行に配設される傾斜寝用副台とを備え、前記うつ伏せ寝用主台と前記傾斜寝用副台とが所定の間隔をおいて連結されていることを特徴とする補助寝具。
【請求項２】
前記うつ伏せ寝用主台と前記傾斜寝用副台とを連結するための連結部材を更に備え、前記うつ伏せ寝用主台と前記傾斜寝用副台の少なくともいずれか一方が前記連結部材に位置調整自在に装着され、前記うつ伏せ寝用主台及び前記傾斜寝用副台が前記連結部材を介して間隔調整自在に連結されていることを特徴とする請求項１に記載の補助寝具。
【請求項３】
前記連結部材には、前記うつ伏せ寝用主台の装着位置に対応して第１スナップ手段の雄形スナップ又は雌形スナップが設けられ、前記傾斜寝用副台の装着位置に対応して第２スナップ手段の雄形スナップ又は雌形スナップが設けられ、また前記うつ伏せ寝用主台には、前記第１スナップ手段の雌形スナップ又は雄形スナップが設けられ、更に前記傾斜寝用副台には、前記第２スナップ手段の前記雌形スナップ又は雄形スナップが設けられ、前記うつ伏せ寝用主台の前記第１スナップ手段の前記雌形スナップ又は雄形スナップが前記連結部材の前記第１スナップ手段の前記雄形スナップ又は雌形スナップに着脱自在に取り付けられ、また前記傾斜寝用副台の前記第２スナップ手段の前記雌形スナップ又は前記雄形スナップが前記連結部材の前記第２スナップ手段の前記雄形スナップ又は雌形スナップに着脱自在に取り付けられることを特徴とする請求項２に記載の補助寝具。
【請求項４】
前記連結部材には、前記うつ伏せ寝用主台の装着位置に対応して第１収容部が設けられ、前記傾斜寝用副台の装着位置に対応して第２収容部が設けられ、前記うつ伏せ寝用主台は前記連結部材の前記第１収容部に収容され、また前記傾斜寝用副台は前記連結部材の前記第２収容部に収容されることを特徴とする請求項２に記載の補助寝具。
【請求項５】
前記連結部材は、前記うつ伏せ寝用主台に設けられた第１連結部と、前記傾斜寝用副台に設けられた第２連結部とから構成され、前記第１連結部及び前記第２連結部が位置調整自在に連結されることを特徴とする請求項２に記載の補助寝具。
【請求項６】
前記連結部材は、前記敷き部材であり、前記うつ伏せ寝用主台及び前記傾斜寝用副台の上面が前記布団カバー、前記敷き部材に着脱自在に取り付けられることを特徴とする請求項１に記載の補助寝具。
【請求項７】
前記敷き部材の下面には、前記うつ伏せ寝用主台の装着位置に対応して第１スナップ手段の雄形スナップ又は雌形スナップが設けられ、前記傾斜寝用副台の装着位置に対応して第２スナップ手段の雄形スナップ又は雌形スナップが設けられ、また前記うつ伏せ寝用主台の上面には、前記第１スナップ手段の雌形スナップ又は雄形スナップが設けられ、更に前記傾斜寝用副台の上面には、前記第２スナップ手段の前記雌形スナップ又は雄形スナップが設けられ、前記うつ伏せ寝用主台の前記第１スナップ手段の前記雌形スナップ又は雄形スナップが前記第１スナップ手段の前記雄形スナップ又は雌形スナップに着脱自在に取り付けられ、前記傾斜寝用副台の前記第２スナップ手段の前記雌形スナップ又は雄形スナップが前記第２スナップ手段の前記雄形スナップ又は雌形スナップに着脱自在に取り付けられることを特徴とする請求項６に記載の補助寝具。
【請求項８】
前記うつ伏せ寝用主台は、主台本体と、袋状に形成された主台袋体とを備え、前記主台本体が前記主台袋体に収容され、また前記傾斜寝用副台は、副台本体と、袋状に形成された副台袋体とを備え、前記副台本体が前記副台袋体に収容されていることを特徴とする請求項１〜７のいずれかに記載の補助寝具。
【請求項９】
前記傾斜寝用副台には、前記うつ伏せ寝用主台側に身体を傾斜就寝状態に保つための傾斜部又は円弧状部が設けられていることを特徴とする請求項１〜８のいずれかに記載の補助寝具。
【請求項１０】
前記傾斜寝用副台に関連して、その上方に補助枕が配設されることを特徴とする請求項１〜９のいずれかに記載の補助寝具。
【請求項１１】
前記傾斜寝用副台は、前記うつ伏せ寝用主台の両側に配設可能に構成され、前記連結部材の幅方向中央部に前記うつ伏せ寝用主台が取り付けられ、前記連結部材の幅方向一側部及び他側部に前記傾斜寝用副台が取り付けられることを特徴とする請求項１に記載の補助寝具。
【発明の詳細な説明】
【技術分野】
【０００１】
本発明は、うつ伏せ寝、横向き寝に適した補助寝具に関する。
【背景技術】
【０００２】
うつ伏せ寝は、聖路加国際病院の日野原先生等の医師によっても提唱されているように、健康によいとされている（例えば、非特許文献１参照）。この提唱されている説によれば、人間も元来は四つ足の動物と同じく、うつ伏せ寝状態にあるときに内臓が安定しており、睡眠時においても、この状態をとること、即ちうつ伏せ寝の状態になることが好ましいとされる。そして、このうつ伏せ寝を習慣付けることにより、舌根沈下が防止され、また誤嚥も防止される。舌根沈下は、無呼吸症候群の原因となり、また誤嚥は、糖尿病などで免疫力が低下した人にとって誤嚥性肺炎、気管支炎の原因となる。このうつ伏せ寝の就寝状態においては、唾液の分泌が促進され、睡眠時に雑菌を唾液とともに口外に排出することができ、また痰の排出を容易にする。
【０００３】
また、この非特許文献１では、「安静の姿勢」と思われていた「仰向け寝」の弊害をなくすのは、人類の進化の過程に合った「うつ伏せ寝」であったと説明されている。医療現場から発見され、全国的に広まりつつある「腹臥位療法」の研究結果を元に、「うつ伏せ」姿勢の驚くべき効果が検証され、全く新しい健康法のための正しいやり方と安全のポイントについて述べられている。
【０００４】
更に、この非特許文献１では、楽なうつ伏せ寝のポイントは、頭を横向きにし、マットと身体との間に隙間が生じないようにクッションで埋めることであると説明されている。
【０００５】
従来の寝具などにおいて、うつ伏せ寝を目的としたものがいくつか提案されているが、これらはいずれも特殊な用途を目的するものが多く、普通の人が日常的に用いるには適してなく、楽な状態でうつ伏せ寝を実現させるものではなかった。
【０００６】
うつ伏せ寝用寝具の第１の例として、比較的固い第１クッション材と、この第１クッション材の上面に重ねられた比較的柔らかい第２クッション材とから構成されたものが提案されている（例えば、特許文献１参照）。このうつ伏せ寝用寝具においては、第１クッション材には、上面が開放された多数の平行な溝が設けられ、第２クッション材には、その上面から第１クッション材の溝に至るように多数の空気孔が設けられている。
【０００７】
また、うつ伏せ寝用寝具の第２の例として、枕本体の中央部に使用者の顔面の輪郭形状に対応した孔を設け、この孔の周縁部が弾性材料から形成されたものが提案されている（例えば、特許文献２参照）。このうつ伏せ寝用寝具では、枕本体は、横方向には所定の範囲にわたってほぼ水平に変位可能であるが、縦方向には変位できないように支持体に装着される。
【０００８】
また、うつ伏せ寝用寝具の第３の例として、コの字型の骨格部分と、クッション部分とから構成されたものが提案されている（例えば、特許文献３参照）。このうつ伏せ用寝具では、骨格部分には空気の出入りが可能な穴（又は隙間）が設けられ、額を当てる部分の手前側に花を挿入するための穴（又は隙間）が設けられ、更に後頭部又は額・頬部を支えるための凹みが設けられている。
【０００９】
また、うつ伏せ寝用寝具の第４の例として、傾斜支持面を有する傾斜マットと、この傾斜マットと間隔をおいて配設される移動抑制部材とを備えたものが提案されている（例えば、特許文献４参照）。このうつ伏せ寝用寝具では、傾斜マットの傾斜支持面が使用者の背中側に配置され、移動抑制部材が使用者の腹部側に配置され、使用状態において頭部が横向いた状態に保たれ、頭部をこのような状態に保つことによって、就寝中に無呼吸状態になるのを防止することができる。
【００１０】
また、うつ伏せ寝用寝具の第５の例として、頭部を載置する枕部と、この枕部の下方に配設される一対のクッション性の棒部を備え、一対の棒部が枕部に連結されたものが提案されている（例えば、特許文献５参照）。このうつ伏せ寝用寝具では、枕部の使用時の対応定荷重高の値が棒部の使用時対応定荷重厚さの値よりも大きく設定され、使用時に使用者の肩部から胴部にわたる部分が一対の棒部間に位置するように用いられる。
【００１１】
更に、うつ伏せ寝用寝具の第６の例として、クッション性を有する枕部と、クッション性を有する複数の円筒状体から構成される胴体部と、枕部から横方向に延びる補助枕部と、この補助枕部から延びる補助円筒状部とを備えたものが提案されている（例えば、特許文献６参照）。このうつ伏せ寝用寝具では、使用者の頭部及び顔面部の一部が枕部に載置され、使用者の顔面部から股部にわたる部分が胴体部に密着して位置し、枕部の使用時の高さは、胴体部の使用時の高さよりも低く設定される。また、胴体部と枕部とが連結され、この胴体部と補助円筒体とが連結して使用される。
【００１２】
【特許文献１】特開２００３−６１７９１号公報
【特許文献２】特開閉１０−２７７１０２号公報
【特許文献３】特開平７−２７５０９８号公報
【特許文献４】特開２００５−１１８５２８号公報
【特許文献５】特開２００７−２８２６９１号公報
【特許文献６】特開２００７−１０３９３１号公報
【非特許文献１】「うつ伏せ寝健康法」監修：日野原重明（聖路加国際病院理事長、同名誉院長）、著者：川島みどり）（日本赤十字看護大学教授）、丸山征四郎（兵庫医科大学教授）、発行：ＫＫベストセラーズ、発行日：２００５年１２月８日
【発明の開示】
【発明が解決しようとする課題】
【００１３】
しかしながら、従来のこれらうつ伏せ寝要寝具においては、次の通りの問題がある。
例えば、特許文献１のものでは、幼児用のものであるために、大人用としては不適であり、また楽なうつ伏せ寝の就寝状態を実現させるものではない。
【００１４】
また、例えば、特許文献２のものでは、医療用を目的とするのものであり、普通の人が日常的に継続使用するには不適である。
また、例えば、特許文献３のものでは、使用時に寝返りなどで枕から東部がずれた場合に、睡眠状態で元の使用状態に戻すことが難しく、また楽なうつ伏せ寝の就寝状態を実現させるものではない。
【００１５】
また、例えば、特許文献４のものでは、移動抑制部材が大きなボールから構成されているので、寝具とのバランスが悪く、使用上扱い難いなどの問題がある。
また、例えば、特許文献５のものでは、一対の棒部が綿から形成されているので、使用するにつれてそれらの高さ及び幅が変形して低く平らになり、うつ伏せ寝用寝具としての機能を果たせなくなる。
【００１６】
更に、例えば、特許文献６のものでは、枕部及び胴体部が綿から形成されるので、使用するにつれてそれらの高さ及び幅が変形して低く平らになり、うつ伏せ寝用寝具としての機能を果たせなくなる。また、枕部と胴体部とを分離して高低差がつくようにつくらなければならず、その製作が煩雑となる。
【００１７】
本発明の目的は、普通の人がうつ伏せ寝を簡易に安心して行うことができる補助寝具を提供することである。
本発明の他の目的は、睡眠中においても自然に無意識にうつ伏せ寝又は横向き寝の状態になる補助寝具を提供することである。
【課題を解決するための手段】
【００１８】
本発明の請求項１に記載の補助寝具は、敷き部材の下側に敷く補助寝具であって、頭部、胸部、胴部及び股部にわたる身体上部を載置するためのうつ伏せ寝用主台と、前記うつ伏せ寝用主台と略平行に配設される傾斜寝用副台とを備え、前記うつ伏せ寝用主台と前記傾斜寝用副台とが所定の間隔をおいて連結されていることを特徴とする。
【００１９】
また、本発明の請求項２に記載の補助寝具では、前記うつ伏せ寝用主台と前記傾斜寝用副台とを連結するための連結部材を更に備え、前記うつ伏せ寝用主台と前記傾斜寝用副台の少なくともいずれか一方が前記連結部材に位置調整自在に装着され、前記うつ伏せ寝用主台及び前記傾斜寝用副台が前記連結部材を介して間隔調整自在に連結されていることを特徴とする。
【００２０】
また、本発明の請求項３に記載の補助寝具では、前記連結部材には、前記うつ伏せ寝用主台の装着位置に対応して第１スナップ手段の雄形スナップ又は雌形スナップが設けられ、前記傾斜寝用副台の装着位置に対応して第２スナップ手段の雄形スナップ又は雌形スナップが設けられ、また前記うつ伏せ寝用主台には、前記第１スナップ手段の雌形スナップ又は雄形スナップが設けられ、更に前記傾斜寝用副台には、前記第２スナップ手段の前記雌形スナップ又は雄形スナップが設けられ、前記うつ伏せ寝用主台の前記第１スナップ手段の前記雌形スナップ又は雄形スナップが前記連結部材の前記第１スナップ手段の前記雄形スナップ又は雌形スナップに着脱自在に取り付けられ、また前記傾斜寝用副台の前記第２スナップ手段の前記雌形スナップ又は前記雄形スナップが前記連結部材の前記第２スナップ手段の前記雄形スナップ又は雌形スナップに着脱自在に取り付けられることを特徴とする。
【００２１】
また、本発明の請求項４に記載の補助寝具では、前記連結部材には、前記うつ伏せ寝用主台の装着位置に対応して第１収容部が設けられ、前記傾斜寝用副台の装着位置に対応して第２収容部が設けられ、前記うつ伏せ寝用主台は前記連結部材の前記第１収容部に収容され、また前記傾斜寝用副台は前記連結部材の前記第２収容部に収容されることを特徴とする。
【００２２】
また、本発明の請求項５に記載の補助寝具では、前記連結部材は、前記うつ伏せ寝用主台に設けられた第１連結部と、前記傾斜寝用副台に設けられた第２連結部とから構成され、前記第１連結部及び前記第２連結部が位置調整自在に連結されることを特徴とする。
【００２３】
また、本発明の請求項６に記載の補助寝具では、前記連結部材は、前記敷き部材であり、前記うつ伏せ寝用主台及び前記傾斜寝用副台の上面が前記布団カバー又は前記ベッドシーツに着脱自在に取り付けられることを特徴とする。
【００２４】
また、本発明の請求項７に記載の補助寝具では、前記敷き部材の下面には、前記うつ伏せ寝用主台の装着位置に対応して第１スナップ手段の雄形スナップ又は雌形スナップが設けられ、前記傾斜寝用副台の装着位置に対応して第２スナップ手段の雄形スナップ又は雌形スナップが設けられ、また前記うつ伏せ寝用主台の上面には、前記第１スナップ手段の雌形スナップ又は雄形スナップが設けられ、更に前記傾斜寝用副台の上面には、前記第２スナップ手段の前記雌形スナップ又は雄形スナップが設けられ、前記うつ伏せ寝用主台の前記第１スナップ手段の前記雌形スナップ又は雄形スナップが前記第１スナップ手段の前記雄形スナップ又は雌形スナップに着脱自在に取り付けられ、前記傾斜寝用副台の前記第２スナップ手段の前記雌形スナップ又は雄形スナップが前記第２スナップ手段の前記雄形スナップ又は雌形スナップに着脱自在に取り付けられることを特徴とする。
【００２５】
また、本発明の請求項８に記載の補助寝具では、前記うつ伏せ寝用主台は、主台本体と、袋状に形成された主台袋体とを備え、前記主台本体が前記主台袋体に収容され、また前記傾斜寝用副台は、副台本体と、袋状に形成された副台袋体とを備え、前記副台本体が前記副台袋体に収容されていることを特徴とする。
【００２６】
また、本発明の請求項９に記載の補助寝具では、前記傾斜寝用副台には、前記うつ伏せ寝用主台側に身体を傾斜就寝状態に保つための傾斜部又は円弧状部が設けられていることを特徴とする。
【００２７】
また、本発明の請求項１０に記載の補助寝具では、前記傾斜寝用副台に関連して、その上方に補助枕が配設されることを特徴とする。
更に、本発明の請求項１１に記載の補助寝具では、前記傾斜寝用副台は、前記うつ伏せ寝用主台の両側に配設可能に構成され、前記連結部材の幅方向中央部に前記うつ伏せ寝用主台が取り付けられ、前記連結部材の幅方向一側部及び他側部に前記傾斜寝用副台が取り付けられることを特徴とする。
【発明の効果】
【００２８】
本発明の請求項１に記載の補助寝具によれば、頭部、胸部、胴部、腰部及び股部にわたる身体上部がうつ伏せ寝用主台に載置されるように使用されるので、このうつ伏せ寝用主台によって身体の上部が所定の高さに支えられ、亀が甲羅から手足を出して休むときのような姿勢になり、かかる姿勢においては、両手足が左右両側に自由に開放され、身体と寝具との間に隙間はできす、長時間安定してうつ伏せ寝状態での就寝を保つことができる。また、このうつ伏せ寝の就寝状態において身体が僅かに重心移動しても、手足と身体とがヤジロベエにように微妙にバランスを取る働きをし、うつ伏せ寝用主台から落下することなく、長時間安定してうつ伏せ寝の就寝状態を保つことができる。
【００２９】
また、うつ伏せ寝用主台と略平行に傾斜寝用副台が配設されるので、うつ伏せ寝状態のままうつ伏せ寝用主台から滑り落ちても、うつ伏せ寝用主台と傾斜寝用副台との間で就寝し、就寝中大きく動くようなことがない。また、滑り落ちたとしても、このうつ伏せ寝用主台に抱きつき又は半ば斜めのうつ伏せ寝で寄りかかった状態で就寝を続けることができるようになる。尚、敷き部材とは、就寝するときに下側に敷く敷布団、毛布、ベッドシーツなどである。
【００３０】
また、本発明の請求項２に記載の補助寝具によれば、うつ伏せ寝用主台と傾斜寝用副台とが連結部材を介して連結され、うつ伏せ寝用主台と傾斜寝用副台の少なくともいずれか一方が連結部材に位置調整自在に装着されているので、うつ伏せ寝用主台と傾斜寝用副台との間隔を調整し、使用者の身体に適した間隔に調整することができる。
【００３１】
また、本発明の請求項３に記載の補助寝具では、連結部材には第１スナップ手段の雄形スナップ（又は雌形スナップ）が設けられ、またうつ伏せ寝用主台には第１スナップ手段の雌形スナップ（又は雄形スナップ）が設けられているので、雄形スナップ（又は雌形スナップ）及び雌形スナップ（又は雄形スナップ）を相互に連結することによって、うつ伏せ寝用主台を連結部材に簡単に且つ容易に取り付けることができる。また、この連結部材には第２スナップ手段の雄形スナップ（又は雌形スナップ）が設けられ、また傾斜寝用副台には第２スナップ手段の雌形スナップ（又は雄形スナップ）が設けられているので、雄形スナップ（又は雌形スナップ）及び雌形スナップ（又は雄形スナップ）を相互に連結することによって、傾斜寝用副台を連結部材に簡単に且つ容易に取り付けることができる。尚、例えば、第１スナップ手段の雄形スナップ（又は雌形スナップ）を連結部材に間隔をおいて複数設けることによて、うつ伏せ寝用主台を位置調整可能に連結部材に取り付けることができ、例えば、第２スナップ手段の雄形スナップ（又は雌形スナップ）を連結部材に間隔をおいて複数設けることによて、傾斜寝用副台を位置調整可能に連結部材に取り付けることができる。
【００３２】
また、本発明の請求項４に記載の補助寝具によれば、連結部材には第１及び第２収容部が設けられているので、うつ伏せ寝用主台を第１収容部に収容することによって、連結部材に連結することができ、また傾斜寝用副台を第２収容部に収容することによって、連結部材に連結することができる。
【００３３】
また、本発明の請求項５に記載の補助寝具によれば、うつ伏せ寝用主台に連結部材の第１連結部が設けられ、傾斜寝用副台に連結部材の第２連結部が設けられているので、第１及び第２連結部を相互に連結することにって、つぶせ寝用主台及び傾斜寝用副台を連結部材を介して連結することができる。また、第１及び第２連結部が位置調整自在に連結されるので、うつ伏せ寝用主台及び傾斜寝用副台との間隔を使用者の身体に適した間隔に設定することができる。
【００３４】
また、本発明の請求項６に記載の補助寝具によれば、連結部材は敷き部材から構成されるので、専用の連結部材を必要とすることなく、うつ伏せ寝用主台と傾斜寝用副台とを敷き部材を介して連結することができる。
【００３５】
また、本発明の請求項７に記載の補助寝具によれば、敷き部材の下面に第１スナップ手段の雄形スナップ（又は雌形スナップ）が設けられ、うつ伏せ寝用主台の上面に第１スナップ手段の雌形スナップ（又は雄形スナップ）が設けられているので、第１スナップ手段の雄形スナップ（又は雌形スナップ）及び雌形スナップ（又は雄形スナップ）を相互に連結することによって、うつ伏せ寝用主台を敷き部材に取り付けることができる。また、敷き部材の下面に第２スナップ手段の雄形スナップ（又は雌形スナップ）が設けられ、また傾斜寝用副台の上面に第２スナップ手段の雌形スナップ（又は雄形スナップ）が設けられているので、第２スナップ手段の雄形スナップ（又は雌形スナップ）及び雌形スナップ（又は雄形スナップ）を相互に連結することによって、傾斜寝用副台を敷き部材に取り付けることができる。尚、このときにも、第１スナップ手段の雄形スナップ（又は雌形スナップ）を敷き部材に間隔をおいて複数設けることによて、うつ伏せ寝用主台を位置調整可能に取り付けることができ、例えば、第２スナップ手段の雄形スナップ（又は雌形スナップ）を敷き部材に間隔をおいて複数設けることによって、傾斜寝用副台を位置調整可能に取り付けることができる。
【００３６】
また、本発明の請求項８に記載の補助寝具によれば、うつ伏せ寝用主台は、主台本体と、この主台本体を収容する主台袋体とを備えているので、うつ伏せ寝用主台の取扱いが容易になるとともに、連結部材への取付けも容易となる。また傾斜寝用副台は、副台本体と、この副台本体を収容する副台袋体とを備えているので、傾斜寝用副台の取扱いが容易になるとともに、連結部材への取付けも容易となる。
【００３７】
また、本発明の請求項９に記載の補助寝具によれば、傾斜寝用副台に傾斜部（又は円弧状部）が設けられているので、就寝中に仰向け寝の状態（この仰向け寝の状態においては、無呼吸症候群における無呼吸状態が誘発されやすくなる）に移行しようとしたときに、傾斜部（又は円弧状部）によってその動きが妨げられ、これによって、横向き寝又はうつ伏せ寝の状態に再び移行する確率が高くなる。
【００３８】
また、本発明の請求項１０に記載の補助寝具によれば、傾斜寝用副台の上方に補助枕が配設されるので、補助枕に載置した状態においては、傾斜寝用副台の傾斜部に身体の一部が載置された状態において頭部が無理な状態にならず、身体を安定した状態に保つことができる。尚、この補助枕に傾斜寝用副台と同様の傾斜部（傾斜寝用副台の傾斜部よりも傾斜が小さい傾斜部）を設けるようにしてもよい。
【００３９】
更に、本発明の請求項１１に記載の補助寝具によれば、傾斜寝用副台は、うつ伏せ寝用主台の両側に配設可能に構成されているので、連結部材の幅方向一側部に傾斜寝用副台を配設したときには、例えば右向きの横向き寝に適した配置となり、右向きの横向き寝状態が好きな人に適した使用形態とすることができ、また連結部材の幅方向他側部に傾斜寝用副台を配設したときには、例えば左向きの横向き寝に適した配置となり、左向きの横向き寝状態が好きな人に適した使用形態とすることができる。
【発明を実施するための最良の形態】
【００４０】
以下、添付図面を参照して、本発明に従う補助寝具の各種実施形態について説明する。
図１〜図１１を参照して、補助寝具の第１の実施形態について説明する。図１は、本発明の第１の実施形態の補助寝具を示す斜視図であり、図２は、図１の補助寝具におけるうつ伏せ寝用主台及び傾斜寝用副台を底面側から見た斜視図であり、図３は、図１の補助寝具の連結部材を示す平面図であり、図４は、図１の補助寝具の上に敷布団を敷いた状態を示す斜視図であり、図５は、図１の補助寝具を用いてうつ伏せ寝で就寝した状態を示す簡略図であり、図６は、図１の補助寝具におけるうつ伏せ寝用主台の上でうつ伏せ寝で就寝した状態を示す簡略図であり、図７は、図６の就寝状態を示す縦断面図であり、図８（ａ）は、図１の補助寝具の上に敷布団を敷いた状態を示す平面図であり、図８（ｂ）は、図８（ａ）におけるＶＩＩＩ−ＶＩＩＩ線による断面図であり、図９（ａ）は、図８の補助寝具を用いたときの横向き寝の状態を示す平面図であり，図９（ｂ）は、図９（ａ）におけるＩＸ−ＩＸ線による断面図であり、図１０（ａ）は、図８の補助寝具を用いたときの仰向け寝に移行するときの状態を示す平面図であり、図１０（ｂ）は、図１０（ａ）におけるＸ−Ｘ線による断面図であり、図１１は、図１の補助寝具を用いて横向き寝の就寝状態を示す斜視図である。
【００４１】
図１〜図３において、図示の補助寝具２は、うつ伏せ寝用主台４と、このうつ伏せ寝用主台４と所定間隔をおいて配設される傾斜寝用副台６と、うつ伏せ寝用主台４及び傾斜寝用副台６とを連結する連結部材８と、から構成されている。うつ伏せ寝用主台４は細長い四角柱状に形成され、所定の高さと所定の幅を有している。このうつ伏せ寝用主台４には、使用者１００の頭部乃至顔面部１０２、胸部１０４、胴部１０６、腰部１０７及び股部１０８にわたる部分が載置される。尚、このうつ伏せ寝用主台４の一端部（図１及び図２において左側の端部であって、使用者の股部１０８が載置される側の端部）には、一端に向けて幅が漸減する先細部１０が設けられている。この先細部１０は省略することもでき、この場合、うつ伏せ寝用主台４は全体として細長い直方体状となる。
【００４２】
また、傾斜寝用副台６は、うつ伏せ寝用主台４と略平行に配置され、この傾斜用副台６とうつ伏せ寝用主台４との間に矩形状の第１空間１２が設けられる。この傾斜寝用副台６の長さは、うつ伏せ寝用主台４よりも短く、図１に示すように、それらの一端側（図１及び図２において左端側）が幅方向（図１及び図２において上下方向）に揃うように配置され、このように配置することによって、うつ伏せ寝用主台４の他端部は傾斜寝用副台６よりも他端側に突出し、うつ伏せ寝用主台４の片側（傾斜寝用副台６側であって、その他端外方）に第２空間１４が設けられる。この傾斜寝用副台６は、細長い略三角柱状に形成され、（使用時において三角形になるようにするのが好ましい）うつ伏せ寝用主台３に対向する部位に、うつ伏せ寝用主台４側に向けて下方に傾斜する傾斜部１６が全長にわたって設けられ、この傾斜部１６は、後述するように、身体を横向き乃至斜めうつ伏せに寝に維持するために設けられる。
【００４３】
うつ伏せ寝用主台４は、例えば柔らかなウレタンフォームからなる低反発素材から形成される主台本体と、袋状に形成された主台袋体から構成され、主台本体が主台袋体に取り出し可能に収容される。このように主台本体を主台袋体に収容することによって、うつ伏せ寝用主台４の取り扱いが容易になるとともに、低反発素材製の主台本体の汚れを防止することができる。また、傾斜寝用副台６は、例えば低反発素材から形成される副台本体と、例えば布などから袋状に形成された副台袋体から構成され、副台本体が副台袋体に取り出し可能に収容される。このように副台本体を副台袋体に収容することによって、うつ伏せ寝用主台４と同様に、傾斜寝用副台６の取り扱いが容易になるとともに、低反発素材製の副台本体の汚れを防止することができる。
【００４４】
うつ伏せ寝用主台４と傾斜寝用副台６とは連結部材８を介して連結され、この実施形態では、連結部材８が布製の連結シーツ１８から構成され、うつ伏せ寝用主台４（具体的には、主台本体を収容する主台袋体）及び傾斜寝用副台６（具体的には、副台本体を収容する副台袋体）が連結シーツ１８に着脱自在に取り付けられるように構成されている。
【００４５】
この実施形態では、うつ伏せ寝用主台４及び傾斜寝用副台６を取り付けるのに面ファスナー２０，２２，２４が利用されている。主として図３を参照して、連結シーツ１８の表面側の大部分に凹状（雌型）の面ファスナー２０が取り付けられている。またうつ伏せ寝用主台４（具体的には、主台袋体）の下面に凸状（雄型）の面ファスナー２２が取り付けられているとともに、傾斜寝用副台６（具体的には、副台袋体）の下面に凸状（雄型）の面ファスナー２４が取り付けられている。尚、これとは反対に、連結シーツ１８に凸状の面ファスナーを設け、うつ伏せ寝用主台４及び傾斜寝用副台６に凹状の面ファスナーを設けるようにしてもよい。
【００４６】
連結シーツ１８の凹状の面ファスナー２０の大きさは、うつ伏せ寝用主台４及び傾斜寝用副台６よりも充分に大きく、うつ伏せ寝用主台４の配設位置及び傾斜寝用副台６の配置位置を適宜に調整することができる。うつ伏せ寝用主台４の配置位置に対して傾斜寝用副台６の配置位置を幅方向（図１において上下方向）に近づける（又は遠ざける）ことによって、使用者の身体の大きさなどに対応するように、うつ伏せ寝用主台４と傾斜寝用副台６との間隔を小さく（又は大きく）調整することができる。尚、連結シーツ１８とうつ伏せ寝用主台４及び傾斜寝用副台６との着脱自在な連結は、面ファスナー２０，２２，２４に代えて、ボタン、スナップ、ファスナーなどの連結具を用いるようにしてもよい。
【００４７】
この補助寝具２は、就寝の際に、次のようにして用いられる。室内の就寝する部分（例えば、室内の畳の表面）に、凹状の面ファスナー２０が表側となるように連結シート１８を敷く。そして、凹状の面ファスナー２０の片側部位（図３及び図４において下側部位）にうつ伏せ寝用主台４を載せて押し付けてその凸状の面ファスナー２２を着脱自在に取り付けるとともに、凹状の面ファスナー２０の他側部位（図３及び図４において上側部位）に傾斜寝用副台６を載せて押し付けてその凸状の面ファスナー２４を着脱自在に取り付ける。その後、連結シーツ１８、うつ伏せ寝用主台４及び傾斜寝用副台６を覆うように敷き部材としての敷布団２６を敷き、この敷布団２６の上に必要に応じて掛布団（図示せず）を載せる。このように敷布団２６を敷くと、図４に示すように、うつ伏せ寝用主台４及び傾斜寝用副台６が敷布団２６の下に隠れるが、うつ伏せ寝用主台４及び傾斜寝用副台６に対応して敷布団２６が凸状に盛り上がるようになる。
【００４８】
上述したようにして敷いた敷布団２６の上に、使用者は、例えば図５及び図６に示すようにうつ伏せ寝して就寝するようになる。うつ伏せ寝用主台４の上側の敷布団２６に使用者１００がうつ伏せ状態で寝るようになり、このうつ伏せ寝の状態においては、うつ伏せ寝用主台４の他端部から一端部に向けて使用者１００の頭部乃至顔面１０２、胸部１０４、胴部１０６、腰部１０７及び股部１０８が位置し、うつ伏せ寝用主台４の一端側の先細部１０の両側に両足１１０が位置するようになる。
【００４９】
図７をも参照して、うつ伏せ寝用主台４の幅は、使用者１００の胴部１０６の幅と略等しく設定されるので、うつ伏せ寝状態の使用者１００の重心が僅かに移動すると、この移動に対応して両足１１０及び両手１１２がヤジロベエのような働きをし、これによって、使用者１００がうつ伏せ寝用主台４から落下するがなく、使用者１００はうつ伏せ寝用主台４から簡単に落下することはない。規則性はないが、例えばうつ伏せ寝用主台４上で頭部乃至顔面１０２が左を向くと、例えばクロール泳法のように右手が前方になり、また例えば頭部乃至顔面１０２が右を向くと、例えば左手が前方となり、更に手が動かないときには、例えば両足のみの位置を変える動きでもってバランスを保つようになる。
【００５０】
室内の例えば畳３０の表面に連結シーツ１８を敷き、この連結シーツ１８の上にうつ伏せ寝用主台４及び傾斜寝用副台６を取り付け、その後これらを被うように敷布団２６を敷くと、図８（ａ）及び（ｂ）に示す状態となる。うつ伏せ寝用主台４と傾斜寝用副台６とは実質上平行となるように配置され、それらの間に第１空間１２が生成され、うつ伏せ寝用主台４の片側であって傾斜寝用副台６の他端部外方に第２空間１４が生成され、この第２空間１４には、使用者１００の好みに応じて、補助枕３２が配設される（図９及び図１０参照）。この補助枕３２には、図示していないが、傾斜寝用副台６と同様に、うつ伏せ寝用主台４に向けて下方に傾斜する傾斜部を設けるようにしてもよく、この場合、この傾斜部の傾斜角度は、例えば傾斜寝用副台６の傾斜部１６よりも小さくするのが好ましく、この傾斜部を省略することも可能である。この補助枕３２は、面ファスナー、スナップなどを用いて連結シーツ１８に着脱自在に且つ位置調整自在に取り付けるようにしてもよいが、敷布団２６の上に置くようにしてもよい。
【００５１】
この補助寝具２を用いた就寝状態においては、通常、就寝初期においては、図５〜図７に示すように、うつ伏せ寝の状態で就寝状態となる。そして、就寝が進むと、例えば、図９及び図１１に示すように、半ば無意識的に又は意識的に横向き寝の状態となる。この横向き寝の状態においては、使用者１００はうつ伏せ寝用主台４と傾斜寝用副台６との間に位置し、その肩部１１４、胸部１０４、胴部１０６および腰部１０７が第１空間１２に位置し、図９（ｂ）で示すように、うつ伏せ寝用主台４の側面及び傾斜寝用副台６の傾斜部１６がこの横向き寝の状態を保つように作用する。
【００５２】
このような横向き寝の状態から仰向き寝の状態に移行しようとすると、図１０（ａ）及び（ｂ）に示す状態となる。この状態においては、使用者１００の胴部１０６から腰部１０７にわたる部分の背後、即ち背中側の腰部１０７付近が傾斜寝用副台６の傾斜部１６に当たって、この状態から仰向け状態に移行しようとする動きが抑制され、これによって、再び横向き寝の状態又はうつ伏せ寝の状態に戻る確率が高くなる。仰向け寝の状態での就寝は、無呼吸症候群における無呼吸状態の誘発の原因の一つであり、この補助寝具２を用いて仰向け寝の状態への移行を抑えることによって、就寝中における無呼吸状態の誘発を防止することができる。
【００５３】
この補助寝具２は、使用中において使用者１００の下側に敷かれた状態となるので、柔らかくて型崩れをしなく、また加工し易く、軽くて扱い易い材料から形成するのが好ましく、このような材料として例えば柔らかなウレタンフォームからなる低反発素材を好都合に用いることができる。
【００５４】
平均的な成人男性用のものとして用いる場合、例えば次の通りの大きさなどに形成される。うつ伏せ寝用主台４については、その高さが例えば７〜３０ｃｍ、横幅が例えば２０〜４５ｃｍ、長さが例えば８０〜１５０ｃｍであることが好ましく、特にこのような長さにすることによって、うつ伏せ寝の状態で頭部乃至顔面１０２から股部１０８までの部分をうつ伏せ寝用主台４に載置した状態に保つことができる。尚、横幅については、うつ伏せ寝用主台４に敷布団２６が載置されるので、この敷布団２６の厚みが加わることを考慮して、うつ伏せ寝用主台４の横幅を少し狭く設定している。
【００５５】
このうつ伏せ寝用主台４の横幅については、図８に示すように、胸部１０４及び胴部１０６に対して適切な幅となるが、股部１０８から膝部に対して幾分広くでやや不適切な大きさとなり、それ故に、四角柱状のうつ伏せ寝用主台４の一端部の両角部を三角状に切断して先細部１０が設けられている。このように先細部１０を設けることによって、使用者１００の両足がこの先細部１０に跨り易くなり、これによって、両膝が敷布団２６上に自然に接地でき（図７参照）、うつ伏せ寝の状態が安定するようになる。うつ伏せ寝用主台４の先端部１０を形成するために切断する三角部の角度は、例えば、９０度、７３度及び１７度であり、この三角部の長さは、例えば、２１ｃｍ、２０ｃｍ及び５ｃｍであり、この三角部の厚みは、うつ伏せ寝用主台４と同じ厚みとなる。
【００５６】
また、傾斜寝用副台６は略三角柱状であり（使用時に断面形状が三角状となるのが望ましい。）、その横断面形状は略二等辺三角形状であり、この二等辺三角形の角度は、例えば、７５〜８５度、７５〜８５度及び１０〜３０度であり、その三辺の長さは、例えば、２２〜３３ｃｍ、２２〜３３ｃｍ及び７〜１５ｃｍである。この傾斜寝用副台６の長さは、上述したうつ伏せ寝用主台４の長さよりも短く、例えば、３０〜１１０ｃｍである。
【００５７】
次に、図１２〜１５を参照して、本発明に従う補助寝具の第２の実施形態について説明する。図１２は、本発明の第２の実施形態の補助寝具において連結部材からうつ伏せ寝用主台及び傾斜寝用副台を取り外した状態を示す斜視図であり、図１３（ａ）は、図２の補助寝具の上に敷布団を敷いた状態を示す平面図であり、図１３（ｂ）は、図１３（ａ）におけるＸＩＩＩ−ＸＩＩＩ線による断面図であり、図１４（ａ）は、図１２の補助寝具を用いたときの横向き寝の状態を示す平面図であり、図１４（ｂ）は、図１４（ａ）におけるＸＩＶ−ＸＩＶ線による断面図であり、図１５（ａ）は、図１２の補助寝具を用いたときの仰向け寝に移行するときの状態を示す平面図であり、図１５（ｂ）は、図１５（ａ）におけるＸＶ−ＸＶ線による断面図である。尚、以下の実施形態において、上述した第１の実施形態と実質上同一の部材には同一の参照番号を付し、その説明を省略する。
【００５８】
この第２の実施形態においては，傾斜寝用副台６Ａに修正が施され、細長い円筒状に構成されている。図１２〜図１５において、この傾斜用副台６Ａも、細長い円筒状の副台本体と、この副台本体を収容する副台袋体から構成されるのが好ましく、副台本体は例えば柔らかなウレタンフォームからなる低反発素材などから形成され、副台袋体は例えば布などから形成される。この傾斜寝用副台６Ａにおいては、全体が円筒状に形成されているので、うつ伏せ寝用主台４に対向する側部に全長にわたって円弧状部１６Ａが設けられ、この円弧状部１６Ａは、上述した実施形態における傾斜部１６と同様に、身体を横向き乃至斜めうつ伏せに寝に維持するための働きをする。
【００５９】
この傾斜用副台６Ａを用いたときは、上述したと同様に、うつ伏せ寝用主台４との間に第１空間１２が設けられ、また、傾斜寝用副台６Ａの長さは、うつ伏せ寝用主台４よりも短く、それらの一端側が幅方向において幾分上方に補助枕３２にずらして配置され、うつ伏せ寝用主台４の他端部は傾斜寝用副台Ａ６よりも他端側に突出し、うつ伏せ寝用主台４の片側（傾斜寝用副台６Ａ側であって、その他端外方）に第２空間１４が設けられる。
【００６０】
この傾斜寝用副台６Ａ（具体的には、副台袋体）の下面部に凸状の面ファスナー２４が取り付けられる。そして、うつ伏せ寝用主台４の凸状の面ファスナー２２及び傾斜寝用副台の凸状の面ファスナー２４が連結部材８、即ち連結シーツ１８の凹状の面ファスナー２２に着脱自在に取り付けられ、これら面ファスナー２２，２４の装着位置を変えることによって、うつ伏せ寝用主台４と傾斜寝用副台６Ａとの間隔を調整することができる。第２の実施形態におけるその他の構成は、上述した第１の実施形態と実質上同一である。
【００６１】
この第２の実施形態においても、使用者１００は、補助寝具２Ａの上に敷かれた敷布団２６の上にうつ伏せ寝して就寝するようになる。室内の例えば畳３０の表面に連結シーツ１８を敷き、この連結シーツ１８の上にうつ伏せ寝用主台４及び傾斜寝用副台６Ａを取り付け、その後これらを被うように敷布団２６を敷くと、図１３（ａ）及び（ｂ）に示す状態となり、上述したと同様に、うつ伏せ寝用主台４と傾斜寝用副台６Ａとは実質上平行となるように配置され、それらの間に第１空間１２が生成され、うつ伏せ寝用主台４の片側であって傾斜寝用副台６Ａの他端部外方に第２空間１４が生成され、この第２空間１４には、使用者１００の好みに応じて、補助枕３２が配設される。
【００６２】
この補助寝具２Ａを用いた就寝状態においても、通常、就寝初期においては、うつ伏せ寝で就寝状態となる。そして、就寝が進むと、例えば、図１４及び図１５に示すように、半ば無意識的に又は意識的に横向き寝の状態となる。この横向き寝の状態においては、使用者１００はうつ伏せ寝用主台４と傾斜寝用副台６Ａとの間に位置し、その肩部１１４、胸部１０４、胴部１０６及び腰部１０７が第１空間１２に位置し、図１４（ｂ）で示すように、うつ伏せ寝用主台４の側面及び傾斜寝用副台６Ａの円弧状部１６Ａがこの横向き寝の状態を保つように作用する。
【００６３】
このような横向き寝の状態から仰向き寝の状態に移行しようとすると、図１５（ａ）及び（ｂ）に示す状態となる。この状態においては、使用者１００の胴部１０６から腰部１０７にわたる部分の背後、即ち背中側の腰部１０７付近が傾斜寝用副台６Ａの円弧状部１６Ａに当たって、この状態から仰向け状態に移行しようとする動きが抑制され、このような傾斜寝用副台６Ａと組み合わせて用いても、上述したと同様の作用効果が達成される。
【００６４】
上述した実施形態では、連結シーツ１８のほぼ全域に凹状の面ファスナー２０を設け、うつ伏せ寝用主台４及び傾斜寝用副台６（６Ａ）の下面全域に凸状の面ファスナー２２，２４を設けているが、これら面ファスナー２０，２２，２４を全域に設ける必要はなく、必要個所に例えば帯状に設ける、或いは複数個所に点在するように設けるようにしてもよい。
【００６５】
また、上述した実施形態では、平面（即ち、上方）から見て（図８及び図１３において）右側にうつ伏せ寝用主台４を配置し、左側に傾斜寝用副台６（６Ａ）を配置しているが、図１６に示す第３の実施形態のように、左側にうつ伏せ寝用主台４を配置し、右側に傾斜寝用副台６（６Ａ）を配置するようにしてもよく、この場合、使用者の右肩側が下側となるように横向き寝するようになる。
【００６６】
また、上述した実施形態では、一つのうつ伏せ寝用主台４に一つの傾斜寝用副台６（６Ａ）及び一つの補助枕３２を組み合わせているが、このような構成に限定されず、一つのうつ伏せ寝用主台４に二つの傾斜寝用副台６（６Ａ）及び二つの補助枕３２を組み合わせるようにしてもよい。図１７において、この第４の実施形態においては、連結シーツの中央部にうつ伏せ寝用主台４が取り付けられ、連結シーツの両側部に傾斜寝用副台６（６Ａ）が取り付けられ、うつ伏せ寝用主台４と片側（例えば、図１７において左側）の傾斜寝用副台６（６Ａ）との間に片側の第１空間１２が存在し、うつ伏せ寝用主台４と他側（例えば、図１７において右側）の傾斜寝用副台６（６Ａ）との間に他側の第１空間１２が存在する。また、各傾斜寝用副台６（６Ａ）の一端部は、うつ伏せ寝用主台４の一端部と整合するように配置され、その他端部外方（換言すると、うつ伏せ寝用主台４の他端部の両側）に第２空間１４が存在し、この第２空間１４に好みに応じて補助枕３２が配置される。
【００６７】
このような第４の実施形態では、うつ伏せ寝用主台４の上でのうつ伏せ寝の状態から図１７において左側に落ちたときには、うつ伏せ寝用主台４と片側の傾斜寝用副台６（６Ａ）との間の第１空間１２にて横向き寝するようになり、また上述とは反対の右側に落ちたときには、うつ伏せ寝用主台４と他側の傾斜寝用副台６（６Ａ）との間の第１空間１２にて横向き寝するようになり、うつ伏せ寝用主台４のうつ伏せ寝の状態からどちら側に落ちたとしても対応することができるものである。
【００６８】
次に、図１８〜図２２を参照して、本発明に従う第５の実施形態の補助寝具について説明する。図１８は、第５の実施形態の補助寝具を敷布団に取り付けた状態を裏側から示す図であり、図１９は、図１８の補助寝具におけるうつ伏せ寝用主台及び傾斜寝用副台を示す図であり、図２０は、図１８の補助寝具における連結部材を示す図であり、図２１は、図１８の補助寝具の使用状態を示す図であり、図２２は、図１８の補助寝具を第２の使用状態で使用したときの状態を示す図である。
【００６９】
図１８〜図２０において、この実施形態においても、補助寝具２０２は、うつ伏せ寝用主台２０４と、このうつ伏せ寝用主台２０４から所定の間隔をおいて配設される傾斜寝用副台２０６と、うつ伏せ寝用主台２０４及び傾斜寝用副台２０６を所定の位置関係に連結するための連結部材２０８とを備えている。傾斜寝用副台２０６は、うつ伏せ寝用主台２０４と略平行に配置され、この傾斜用副台２０６とうつ伏せ寝用主台２０４との間に矩形状の第１空間２１２が設けられる。この傾斜寝用副台２０６の長さは、うつ伏せ寝用主台２０４よりも短く、図１８に示すように、うつ伏せ寝用主台２０４の一端側（図１８において左端側）が傾斜寝用副台２０６の一端よりも外方に幾分突出し、このうつ伏せ寝用主台２０４の他端部は傾斜寝用副台２０６の他端よりも大きく外方に突出し、うつ伏せ寝用主台２０４の片側（傾斜寝用副台６側であって、その他端外方）に第２空間２１４が設けられる。この傾斜寝用副台２０６は、細長い略三角柱状に形成され、うつ伏せ寝用主台２０４に対向する部位に、うつ伏せ寝用主台４側に向けて下方に傾斜する傾斜部２１６が全長にわたって設けられ、この傾斜部２１６は、身体を横向き乃至斜めうつ伏せに寝に維持する働きをする。
【００７０】
この第５の実施形態においても、うつ伏せ寝用主台２０４は、柔らかい材料から形成される主台本体と、袋状に形成された主台袋体から構成され、主台本体が主台袋体に取り出し可能に収容される。また、傾斜寝用副台２０６は、主台本体と同様に、柔らかい材料から形成される副台本体と、袋状に形成された副台袋体から構成され、副台本体が副台袋体に取り出し可能に収容される。尚、主台本体及び副台本体は、例えば柔らかなウレタンフォームからなる低反発素材から形成され、主台袋体及び副台袋体は、例えば布などから形成される。
【００７１】
この実施形態では、連結部材２０８が敷布団２１８から構成され、この敷布団１２８の下面にうつ伏せ寝用主台２０４及び傾斜寝用副台２０６が取り付けられ、敷布団２１８を連結部材としても機能させている。このように構成することによって、上述した連結シーツを省略することができるが、敷布団２１８に取り付けることに代えて、上述したように連結シートに取り付けるように構成してもよい。
【００７２】
この実施形態では、うつ伏せ寝用主台２０４及び傾斜寝用副台２０６を取り付けるのに雄型スナップ２２０及び雌型スナップ２２２が利用されている。敷布団２１８（具体的には、その布団カバー）の下面の両側部には、傾斜寝用副台２０６の装着位置に対応してこれを取り付けるための第１及び第２雌型スナップ組２２２，２２４が設けられ、各第１及び第２雌型スナップ組２２２，２２４は、幅方向（図２０において上下方向）に間隔をおいて配設された一対の雌型スナップ列２２６，２２８から構成され、雌型スナップ列２２６，２２８は長手方向（図２０において左右方向）に間隔をおいて配設された４個の雌型スナップ２３０から構成されている。
【００７３】
また、敷布団２１８（具体的には、その布団カバー）の下面の第１及び第２雌型スナップ組２２２，２２４の内側に、うつ伏せ寝用主台２０４の装着位置に対応してこれを取り付けるための第１及び第２雄型スナップ組２３２，２３４が設けられ、これら第１及び第２雄型スナップ組２３２，２３４は、敷布団２１８の一端側（図２２において右端側）に設けられた６個の雄型スナップ２３６と、その他端側（図２２において左端側）に設けられた６個の雄型スナップ２３６とから構成されている。
【００７４】
上述した構成に対応して、うつ伏せ寝用主台２０４（具体的には、主台袋体）の上面には、その一端部に６個の雌型スナップ２３０が設けられ、その他端部に６個の雌型スナップ２３０が設けられ、合計１２個の雌型スナップ２３０が主台側雌型スナップ組２３８を構成する。また、傾斜寝用副台２０６（具体的には、副台袋体）の一側部（傾斜上端部側）の上面には、長手方向（図１９において左右方向）に間隔をおいて４個の雄型スナップ２３６が設けられ、これら雄型スナップ２３６が副台側雄型スナップ組２４０を構成する。
【００７５】
この補助寝具２０２では、図１８で示す第１の使用形態では、第１雄型スナップ組２３２及び第１雌型スナップ組２２２が用いられ、第１雄型スナップ組２３２及び主台側雌型スナップ組２３８が、うつ伏せ寝用主台２０４を取り付けるための第１スナップ手段を構成し、主台側雌型スナップ組２３８の雌型スナップ２３０が第１雄型スナップ組２３２の雄型スナップ２３６に着脱自在に連結される。また、第１雌型スナップ組２２２及び副台側雄型スナップ組２４０が、傾斜寝用副台２０６を取り付けるための第２スナップ手段を構成し、副台側雄型スナップ組２４０の雄型スナップ２３６が第１雌型スナップ組２２２の雌型スナップ２３０に着脱自在に連結される。このとき、副台側雄型スナップ組２４０の雄型スナップ２３６は、第１雌型スナップ組２２２の雌型スナップ列２２６、２２８の雌型スナップ２３０に連結可能であるので、外側の雌型スナップ列２２６に連結することによって、うつ伏せ寝用主台２０４と傾斜寝用副台２０６との間隔を大きくすることができ、また内側の雌型スナップ列２２８に連結することによって、うつ伏せ寝用主台２０４と傾斜寝用副台２０６との間隔を小さくすることができ、使用者に合うようにこの間隔を調整することができる。
【００７６】
第１の使用形態では、敷布団２１８の上側に乗った状態においてうつ伏せ寝用主台２０４が右側に、傾斜寝用副台２０６が左側に位置するが、この形態では、図２２に示すように、うつ伏せ寝用主台２０４が左側に、傾斜寝用副台２０６が右側に位置する第２の使用形態でもっても使用することができる。図２２で示す第２の使用形態では、第２雄型スナップ組２３４及び第２雌型スナップ組２２４が用いられ、第２雄型スナップ組２３４及び主台側雌型スナップ組２３８が、うつ伏せ寝用主台２０４を取り付けるための第１スナップ手段を構成し、主台側雌型スナップ組２３８の雌型スナップ２３０が第２雄型スナップ組２３４の雄型スナップ２３６に着脱自在に連結される。また、第２雌型スナップ組２２４及び副台側雄型スナップ組２４０が、傾斜寝用副台２０６を取り付けるための第２スナップ手段を構成し、副台側雄型スナップ組２４０の雄型スナップ２３６が第２雌型スナップ組２２２の雌型スナップ２３０に着脱自在に連結される。このとき、副台側雄型スナップ組２４０の雄型スナップ２３６を外側の雌型スナップ列２２６に連結することによって、うつ伏せ寝用主台２０４と傾斜寝用副台２０６との間隔を大きくすることができ、また内側の雌型スナップ列２２８に連結することによって、うつ伏せ寝用主台２０４と傾斜寝用副台２０６との間隔を小さくすることができる。
【００７７】
この実施形態では、第１及び第２雌型スナップ組２２２，２２４が幅方向に間隔をおいて配設された２列の雌型スナップ列２２６，２２８から構成しているが、１列のスナップ列から構成してもよく（この場合、傾斜寝用副台２０６の幅方向の位置調整ができなくなる）、或いは３列以上の雌型スナップ列から構成するようにしてもよい（この場合、傾斜寝用副台２０６の幅方向の位置調整が３段階以上に可能となる）。また、このような幅方向位置調整機能をうつ伏せ寝用主台２０４側に設けるようにしてもよい。尚、第１及び第２雌型スナップ組２２２，２２４の雌型スナップ組２２６，２２８の雌型スナップ２３０（また、これに対応する副台側雄型スナップ２３６）及び第１及び第２雄型スナップ組２３２，２３４の雄型スナップ２３６（また、これに対応する主台側雌型スナップ２３０）の個数については、適宜設定することができる。
【００７８】
また、この実施形態では、うつ伏せ寝用主台２０４を取り付けるために、敷布団２１８側に、雄型スナップ２３６からなる第１及び第２雄型スナップ組２３２，２３４を設けているが、これに代えて、雌型スナップからなる第１及び第２雌型スナップ組を設けるようにしてもよく、この場合、うつ伏せ寝用主台２０４に主台側雄型スナップ組を設けるようになる。また、傾斜寝用副台２０６を取り付けるために、敷布団２１８側に、雌型スナップ２３０から構成される第１及び第２雌型スナップ組２２２，２２４を設けているが、これに代えて、雄型スナップからなる第１及び第２雄型スナップ組を設けるようにしてもよく、この場合、傾斜寝用副台２０６に副台側雌型スナップ組を設けるようになる。
【００７９】
更に、上述した実施形態では、敷布団２１８側に第１及び第２雌型スナップ組２２２，２２４並びに第１及び第２雄型スナップ組２３２，２３４を設けて、補助寝具を第１及び第２の使用形態に選択的に使用可能に構成しているが、このような構成に限定されず、例えば、敷布団２１８に第１雌型スナップ組２２２及び雄型スナップ組２３２のみを設けて第１の使用形態で使用するようにしてもよく、或いは敷布団２１８に第２雌型スナップ組２２４及び雄型スナップ組２３４のみを設けて、補助寝具２０２を第２の使用形態で使用するようにしてもよい。
【００８０】
上述した補助寝具２０２を使用するときには、図１８に示すように、敷布団２１８を裏返し、この裏返した状態でうつ伏せ寝用主台２０４及び傾斜寝用副台２０６を敷布団２１８に取り付ける。上述したように、第１の使用形態で使用するときには、敷布団２１８の第１雄型スナップ組２３２にうつ伏せ寝用主台２０４の主台側雌型スナップ組２３８が取り付けられるとともに、敷布団２１８の第１雌型スナップ組２２２に傾斜寝用副台２０６の副台側雄型スナップ組２４０が取り付けられる。また、第２の使用形態で使用するときには、敷布団２１８の第２雄型スナップ組２３４にうつ伏せ寝用主台２０４の主台側雌型スナップ組２３８が取り付けられるとともに、敷布団２１８の第２雌型スナップ組２２２に傾斜寝用副台２０６の副台側雄型スナップ組２４０が取り付けられる。
【００８１】
このようにうつ伏せん寝用主台２０４及び傾斜寝用副台２０６を取り付けた後に、図２１に示すように、敷布団２１８を反対に返して、うつ伏せ寝用主台０４及び傾斜寝用副台２０６が敷布団２１８の下側になるようにすればよい。この使用状態においては、うつ伏せ寝用主台２０４及び傾斜寝用副台２０６が敷布団２１８６の下に隠れるが、うつ伏せ寝用主台２０４及び傾斜寝用副台２０６に対応して敷布団２１８が凸状に盛り上がるようになる。また、第２空間２１４に対応して、好みに応じて補助枕２４０を敷布団２１８の上に置いて使用するようになる。尚、この補助枕２４０は、上述した実施形態と同様のものでよい。
【００８２】
この第５の実施形態の補助寝具２０２においても、うつ伏せ寝用主台２０４及び傾斜寝用副台２０６（更には、補助枕２４０）の構成が、上述した実施形態と実質上同様であるので、上述したと同様の作用効果が達成される。
【００８３】
次に、図２３及び図２４を参照して、本発明に従う補助寝具の第６の実施形態について説明する。図２３は、本発明に従う第６の実施形態の補助寝具にいてうつ伏せ寝用主台から傾斜寝用副台を取り外した状態で示す斜視図であり、図２４は、図２３の補助寝具においてうつ伏せ寝用主台と傾斜寝用副台とを連結した状態で示す斜視図である。
【００８４】
図２３及び図２４において、この実施形態では、補助寝具２０２Ａは、うつ伏せ寝用主台２０４Ａと、このうつ伏せ寝用主台２０４Ａから所定の間隔をおいて配設される傾斜寝用副台２０６Ａと、うつ伏せ寝用主台２０４Ａ及び傾斜寝用副台２０６Ａを所定の位置関係に連結するための連結部材２０８Ａとを備え、連結部材２０８Ａが、相互に着脱自在に連結される第１及び第２連結部２５２，２５４から構成されている。更に説明すると、うつ伏せ寝用主台２０４Ａは、例えば上述したと同様の低反発素材から形成される主台本体２５６と、例えば布により袋状に形成された主台袋体２５８から構成され、主台本体２５６が主台袋体２５８に取り出し可能に収容される。また、傾斜寝用副台２０６Ａは、例えば上述したと同様の低反発素材から形成される副台本体２６０と、例えば布により袋状に形成された副台袋体２６２から構成され、副台本体２６０が副台袋体２６２に取り出し可能に収容される。
【００８５】
この実施形態では、連結部材２０８Ａの第１連結部２５２がうつ伏せ寝用主台２０４Ａに設けられ、うつ伏せ寝用主台２０４Ａ、具体的には主台袋体２５８に縫い付けられて一体的となるように構成されている。また、連結部材２０８Ａの第２連結部２５４が傾斜寝用副台２０６Ａに設けられ、傾斜寝用副台２０６Ａ、具体的には副台袋体２６２に縫い付けられて一体的となるように構成されている。これら第１及び第２連結部２５２，２５４は主台袋体２５８及び副台袋体２６２と別体に構成し、これらを雄型及び雌型スナップなどを用いて主台袋体２５８及び副台袋体２６２に着脱自在に連結するようにしてもよい。
【００８６】
この実施形態では、第１連結部２５２には雄型スナップ組２６１が設けられ、この雄型スナップ組２６１は、幅方向（図２３及び図２４において左右方向）に間隔をおいて設けられた３列の雄型スナップ列２６４，２６６，２６８を有し、これら雄型スナップ列２６４，２６６，２６８は、長手方向（図２３及び図２４において上下方向）に間隔をおいて配設された３個の雄型スナップ２７０から構成されている。また、第２連結部２５４には雌型スナップ組２７１が設けられ、この雌型スナップ組２７１は、幅方向に間隔をおいて配設された２列の雌型スナップ列２７２，２７４を有し、これら雌型スナップ列２７２，２７４は長手方向に間隔をおいて配設された２個の雌型スナップ２７６から構成されている。
【００８７】
このように構成されているので、第１及び第２連結部２５２，２５４（換言すると、うつ伏せ寝用主台２０４Ａ及び傾斜寝用副台２０６Ａ）は、幅方向及び長手方向に位置調整可能に連結される。即ち、第１連結部２５２の雄型スナップ列２６４，２６６（主台本体２５６側の一対の雄型スナップ列）に第２連結部２５４の雌型スナップ列２７２，２７４を連結することによって、うつ伏せ寝用主台２０４Ａと傾斜寝用副台２０６Ａの間隔を小さくすることができ、また第１連結部２５２の雄型スナップ列２６６，２６８に第２連結部２５４の雌型スナップ列２７２，２７４を連結することによって、うつ伏せ寝用主台２０４Ａと傾斜寝用副台２０６Ａの間隔を大きくすることができ、このようにして両者の間隔を使用者に対応して調整することができる。また、第１連結部２５２の雄型スナップ列２６４，２６６（又は２６６，２６８）の上側の二つの雄型スナップ２７０に第２連結部２５４の雌型スナップ列２７２，２７４を連結することによって、うつ伏せ寝用主台２０４Ａに対する傾斜寝用副台２０６Ａの相対的位置を上側にすることができ、また第１連結部２５２の雄型スナップ列２６４，２６６（又は２６６，２６８）に第２連結部２５４の雌型スナップ列２７２，２７４を連結することによって、うつ伏せ寝用主台２０４Ａに対する傾斜寝用副台２０６Ａの相対的位置を下側にすることができ、このようにして両者の上下方向の位置関係を使用者に対応して調整することができる。
【００８８】
この補助寝具２０２Ａを使用するときには、第１及び第２連結部２５２，２５４を連結してうつ伏せ寝用主台２０４Ａ及び傾斜寝用副台２０６Ａを所要の位置関係に連結して畳の面などに配置し、これらうつ伏せ寝用主台２０４Ａ及び傾斜寝用副台２０６Ａを被うように敷布団（図示せず）を敷けばよく、このように用いることによって、上述したと同様の作用効果が達成される。
【００８９】
次に、図２５を参照して、本発明に従う補助寝具の第７の実施形態について説明する。図２５は、本発明に従う第７の実施形態の補助寝具を示す平面図である。
図２５において、この実施形態では、補助寝具３０２は、うつ伏せ寝用主台3０４と、このうつ伏せ寝用主台３０４から所定の間隔をおいて配設される傾斜寝用副台３０６と、傾斜寝用副台３０６の上側に配設される補助枕３０８とを備え、傾斜寝用副台３０６と補助枕３０８とが一体的に構成されている。傾斜寝用副台３０６は、上述した低反発素材から形成された副台本体３１０を備え、この副台本体３１０が袋状に形成された副台袋体３１２に収容されている。また、補助枕３０８は、傾斜寝用副台３０６と同様に、低反発素材から形成された枕本体３１４を備え、この枕本体３１４が袋状に形成された枕袋体３１６に収容されている。傾斜用副台３０６と補助枕３０８とは、例えば、副台袋体３１２と枕袋体３１４とを縫い合わせることによって一体的に構成される。尚、このように縫い合わせることに代えて、上述した面ファスナー、スナップなど用いて着脱自在に連結して一体的になるように構成することもできる。
【００９０】
補助枕３０８は、図２５に示すように、傾斜寝用副台３０６の上端部に一体的に連結され、この傾斜寝用副台３６からうつぶせ寝用主台３０４に向けて延び、補助枕３０８の先端部とうつ伏せ寝用主台３０４の上部との間に間隙空間３１８が存在する。
【００９１】
このような構成の補助寝具３０２においては、就寝初期ではうつ伏せ寝用主台３０４にてうつ伏せ寝するようになるが、このうつ伏せ寝用主台３０４から外れて横向き寝の状態になると、就寝者の頭部は補助枕３０８に載った状態に保持され、頭部が安定的に保持される。また、この横向き寝の状態においては、就寝者の肩から背中にわたる部位（片側は床面側に位置し、他側は上側に位置するが、この上側に位置する部位）が傾斜寝用副台３０６に乗り上げ、このような乗り上げた状態には就寝者は横向きに傾斜した状態に保持される。その結果、就寝者の舌根沈下は起こり難く、無呼吸状態を誘発することなく安眠することができる。
【００９２】
この第７の実施形態では、うつ伏せ寝用主台３０４は、次のように構成するのが望ましい。即ち、うつ伏せ寝用主台３０４の上部（補助枕３０８側）にあっては、比較的硬く形成して就寝者の上半身を安定的に支持し、その下部にあっては、比較的柔らかく形成して就寝者の下半身を上半身よりもある程度沈む状態に支持するようにするのが望ましく、このようにすることによって、うつ伏せ寝主台３０４にてうつ伏せ寝したときに、就寝者の身体を安定的に保持することがなく、就寝者は無理な姿勢になることなく安眠することができる。
【００９３】
このようなうつ伏せ寝用主台３０４の上部は、比較的硬い特性を有する主台上部３２０から構成され、この主台上部３２０は、比較的硬いウレタン材料などから形成される上部本体を備え、この上部本体が例えば上部袋体３２２に収容される。尚、上部本体としては、例えば、ビニール製のチューブチップなどを布製袋などに収容したものから構成することもできる。
【００９４】
また、うつ伏せ寝用主台３０４の下部は、比較的柔らかい特性を有する主台下部３２４から構成され、この主台上部３２４は、比較的柔らかいウレタン材料などから形成される下部本体を備え、この下部本体が例えば下部袋体３２６に収容される。尚、下部本体としては、例えば、羽などを布製袋などに収容したものから構成することもできる。
【００９５】
この第７の実施形態においても、うつ伏せ寝用主台３０４及び傾斜寝用副台３０６は、上述したと同様にして例えば紐部材３２８，３３０により相互に連結され、また使用に際しては上述したと同様にして敷き部材の下側に敷かれる。
【００９６】
以上、本発明に従う補助寝具の各種実施形態について説明したが、本発明はこれら実施形態に限定されるものではなく、本発明の範囲を逸脱することなく種々の変更乃至修正が可能である。
【００９７】
例えば、上述した実施形態では、補助寝具を敷布団の下側に敷く形態に適用して説明したが、このような形態に限定されず、例えばベッドにも用いることができ、この場合、補助寝具は敷き部材としてのベッドシーツや毛布の下側に敷くようになる。
【００９８】
また、第１〜第４の実施形態では、うつ伏せ寝用主台及び傾斜寝用副台を連結するのに凸状及び凹状の面ファスナーを利用しているが、このような面ファスナーに代えて、第５及び第６の実施形態で用いた雄型及び雌型スナップを用いるようにしてもよい。この場合、連結部材としての連結シーツには、うつ伏せ寝用主台の装着位置に対応して第１スナップ手段の雄形スナップ（又は雌形スナップ）が設けられ、傾斜寝用副台の装着位置に対応して第２スナップ手段の雄形スナップ（又は雌形スナップ）が設けられ、またうつ伏せ寝用主台には、第１スナップ手段の雌形スナップ（又は雄形スナップ）が設けられ、傾斜寝用副台には、第２スナップ手段の雌形スナップ（又は雄形スナップ）が設けられる。そして、うつ伏せ寝用主台の第１スナップ手段の雌形スナップ（又は雄形スナップ）が連結シーツの第１スナップ手段の雄形スナップ（又は雌形スナップ）に着脱自在に取り付けられ、また傾斜寝用副台の第２スナップ手段の雌形スナップ（又は雄形スナップ）が連結シーツの第２スナップ手段の雄形スナップ（又は雌形スナップ）に着脱自在に取り付けられる。
【００９９】
また、第５及び第６の実施形態では、うつ伏せ寝用副台として傾斜部を備えたものを用いているが、傾斜部を備えたものに代えて、第２の実施形態のように、円弧状部を備えたものを用いるようにしてもよい。
【０１００】
また、上述した実施形態では、うつ伏せ寝用主台及び傾斜寝用副台を連結するのに凸状及び凹状の面ファスナー、又は雄型及び雌型スナップを用いているが、このような構成に代えて、連結部材にうつ伏せ寝用主台の装着位置に対応して第１収容部を設け、傾斜寝用副台の装着位置に対応して第２収容部を設け、うつ伏せ寝用主台をこの第１収容８部に収容し、また傾斜寝用副台を第２収容部に収容し、このように装着して連結部材を介してうつ伏せ寝用主台と傾斜寝用副台とを連結部材を介して連結するようにしてもよい。
【図面の簡単な説明】
【０１０１】
【図１】本発明の第１の実施形態の補助寝具を示す斜視図。
【図２】図１の補助寝具におけるうつ伏せ寝用主台及び傾斜寝用副台を底面側から見た斜視図。
【図３】図１の補助寝具の連結部材を示す平面図。
【図４】図１の補助寝具の上に敷布団を敷いた状態を示す斜視図。
【図５】図１の補助寝具を用いてうつ伏せ寝で就寝した状態を示す簡略図。
【図６】図１の補助寝具におけるうつ伏せ寝用主台の上でうつ伏せ寝で就寝した状態を示す簡略図。
【図７】図６の就寝状態を示す縦断面図。
【図８】図８（ａ）は、図１の補助寝具の上に敷布団を敷いた状態を示す平面図、図８（ｂ）は、図８（ａ）におけるＶＩＩＩ−ＶＩＩＩ線による断面図。
【図９】図９（ａ）は、図８の補助寝具を用いたときの横向き寝の状態を示す平面図、図９（ｂ）は、図９（ａ）におけるＩＸ−ＩＸ線による断面図。
【図１０】図１０（ａ）は、図８の補助寝具を用いたときの仰向け寝に移行するときの状態を示す平面図、図１０（ｂ）は、図１０（ａ）におけるＸ−Ｘ線による断面図。
【図１１】図１１は、図１の補助寝具を用いて横向き寝の就寝状態を示す斜視図。
【図１２】本発明の第２の実施形態の補助寝具において連結部材からうつ伏せ寝用主台及び傾斜寝用副台を取り外した状態を示す斜視図。
【図１３】図１３（ａ）は、図２の補助寝具の上に敷布団を敷いた状態を示す平面図、図１３（ｂ）は、図１３（ａ）におけるＸＩＩＩ−ＸＩＩＩ線による断面図。
【図１４】図１４（ａ）は、図１２の補助寝具を用いたときの横向き寝の状態を示す平面図、図１４（ｂ）は、図１４（ａ）におけるＸＩＶ−ＸＩＶ線による断面図。
【図１５】図１５（ａ）は、図１２の補助寝具を用いたときの仰向け寝に移行するときの状態を示す平面図、図１５（ｂ）は、図１５（ａ）におけるＸＶ−ＸＶ線による断面図。
【図１６】本発明の第３の実施形態の補助寝具を示す平面図。
【図１７】本発明の第４の実施形態の補助寝具を示す平面図。
【図１８】本発明の第５の実施形態の補助寝具を敷布団に取り付けた状態を裏側から示す図。
【図１９】図１８の補助寝具におけるうつ伏せ寝用主台及び傾斜寝用副台を示す図。
【図２０】図１８の補助寝具における連結部材を示す図。
【図２１】図１８の補助寝具の使用状態を示す図。
【図２２】図１８の補助寝具を第２の使用状態で使用したときの状態を示す図。
【図２３】本発明の第６の実施形態の補助寝具にいてうつ伏せ寝用主台から傾斜寝用副台を取り外した状態で示す斜視図。
【図２４】図２３の補助寝具においてうつ伏せ寝用主台と傾斜寝用副台とを連結した状態で示す斜視図。
【図２５】本発明に従う第７の実施形態の補助寝具を示す平面図。
【符号の説明】
【０１０２】
２，２Ａ，２０２，２０２Ａ  補助寝具
４，２０４，２０４Ａ  うつ伏せ寝用主台
６，６Ａ，２０６，２０６Ａ  傾斜寝用副台
８，２０８，２０８Ａ  連結部材
１６，１６Ａ，２１６  傾斜部
１８  連結シーツ
２６，２１８  敷布団
３２、２４０  補助枕
１００  使用者
２２２，２２４  雌型スナップ組
２３２，２３４  雄型スナップ組
２３８  主台側雌型スナップ組
２４０  副台側雄型スナップ組
２５２  第１連結部
２５４  第２連結部
【図１】
2010099443.tif 000003
【図２】
2010099443.tif 000004
【図３】
2010099443.tif 000005
【図４】
2010099443.tif 000006
【図５】
2010099443.tif 000007
【図６】
2010099443.tif 000008
【図７】
2010099443.tif 000009
【図８】
2010099443.tif 000010
【図９】
2010099443.tif 000011
【図１０】
2010099443.tif 000012
【図１１】
2010099443.tif 000013
【図１２】
2010099443.tif 000014
【図１３】
2010099443.tif 000015
【図１４】
2010099443.tif 000016
【図１５】
2010099443.tif 000017
【図１６】
2010099443.tif 000018
【図１７】
2010099443.tif 000019
【図１８】
2010099443.tif 000020
【図１９】
2010099443.tif 000021
【図２０】
2010099443.tif 000022
【図２１】
2010099443.tif 000023
【図２２】
2010099443.tif 000024
【図２３】
2010099443.tif 000025
【図２４】
2010099443.tif 000026
【図２５】
2010099443.tif 000027